(57)【要約】【課題】効率的に振込処理を依頼できる振込処理方法及び振込処理プログラムを提供する。【解決手段】利用者は、携帯電話端末１０の振込先口座データ記憶部２３に登録された振込先口座を特定し、振込金額を設定する。携帯電話端末１０は、振込内容を金融機関システム４０に送信する。そして、金融機関システム４０は振込確認のための電子メールを携帯電話端末１０に送信する。振込内容が確認された場合、携帯電話端末１０は振込依頼を金融機関システム４０に送信する。そして、本人認証ができた場合には、金融機関システム４０は、確認された振込依頼に基づいて振込処理を実行する。一方、携帯電話端末１０は、受信した振込確認に含まれる相手先識別子に対応する電子メールアドレスに振込を行なった旨の通知を行なう。【選択図】　　　図１
2004102711.tif 000002
【特許請求の範囲】
【請求項１】
連絡先識別子に関連づけられた連絡先情報を記録したアドレス帳データ記憶手段と、前記連絡先識別子に関連づけて振込先口座情報を記録した振込先口座データ記憶手段とを有し、ネットワークを介して金融機関システムに接続されたユーザ端末を用いて振込処理の依頼を行なう方法であって、
前記ユーザ端末が、
利用者に対して振込先の連絡先識別子及び振込金額の入力を促す段階と、
入力された連絡先識別子に基づいて前記振込先口座データ記憶手段から振込先口座情報を抽出し、前記金融機関システムに振込内容を送信する段階と、
入力された連絡先識別子に基づいて前記アドレス帳データ記憶手段から連絡先情報を抽出し、この連絡先にメッセージを送信する処理を実行する段階と
を有することを特徴とする振込処理方法。
【請求項２】
前記連絡先情報は、電子メールアドレスを含んで構成することを特徴とする請求項１に記載の振込処理方法。
【請求項３】
前記メッセージの送信処理は、
前記ユーザ端末が、前記金融機関システムに送信した前記振込内容に対する振込内容確認を前記金融機関システムから受信し、
前記振込内容確認に対して振込依頼を前記金融機関システムに送信するときに実行することを特徴とする請求項１又は２に記載の振込処理方法。
【請求項４】
前記メッセージの送信処理は、
前記ユーザ端末が、前記金融機関システムから振込完了通知を受信したときに実行することを特徴とする請求項１又は２に記載の振込処理方法。
【請求項５】
連絡先識別子に関連づけられた連絡先情報を記録したアドレス帳データ記憶手段と、前記連絡先識別子に関連づけて振込先口座情報を記録した振込先口座データ記憶手段とを有し、ネットワークを介して金融機関システムに接続されたユーザ端末を用いて振込処理の依頼を行なうプログラムであって、
前記ユーザ端末を、
利用者に対して振込先の連絡先識別子及び振込金額の入力を促す手段と、
入力された連絡先識別子に基づいて前記振込先口座データ記憶手段から振込先口座情報を抽出し、前記金融機関システムに振込内容を送信する手段と、
入力された連絡先識別子に基づいて前記アドレス帳データ記憶手段から連絡先情報を抽出し、この連絡先にメッセージを送信する処理を実行する手段
として機能させることを特徴とする振込処理プログラム。
【請求項６】
前記連絡先情報は、電子メールアドレスを含んで構成することを特徴とする請求項５に記載の振込処理プログラム。
【請求項７】
前記メッセージの送信処理は、
前記ユーザ端末が、前記金融機関システムに送信した前記振込内容に対する振込内容確認を前記金融機関システムから受信し、
前記振込内容確認に対して振込依頼を前記金融機関システムに送信するときに実行することを特徴とする請求項５又は６に記載の振込処理プログラム。
【請求項８】
前記メッセージの送信処理は、
前記ユーザ端末が、前記金融機関システムから振込完了通知を受信したときに実行することを特徴とする請求項５又は６に記載の振込処理プログラム。
【発明の詳細な説明】
【０００１】
【発明の属する技術分野】
本発明は、ネットワークを利用して預金口座への振込処理を行なう場合に用いる振込処理方法及び振込処理プログラムに関するものである。
【０００２】
【従来の技術】
今日、金融機関から様々なサービスを利用して、送金を行なうことができる。特に、金融機関に開設された預金口座を利用しての振込は、安全に送金を行なうことが可能である。このような振込処理を依頼する場合には、振込元情報と振込先情報とを特定して依頼する必要がある。例えば、金融機関の店舗に設置された自動取引装置を利用して、これらの情報を入力する際には、手入力の他に、カードを利用することにより入力の効率化が図られている。
【０００３】
具体的には、振込元情報の入力には、キャッシュカードに記憶された口座番号の利用や暗証番号の入力により簡略化されている。また、振込先情報の入力は、例えば、振込カードの利用により容易にできる（例えば、特許文献１参照）。この振込カードは同じ相手に何回も振り込む必要がある場合に有効である。このような顧客には、振込先の金融機関名、支店名、口座番号、氏名等を記憶した振込カードを提供する。そして、振込処理時の振込先情報の入力は、振込カードの読み取りにより行なわれる。
【０００４】
このような振込カードを用いることにより、振込先情報に関して振込処理に必要な入力操作を軽減し、入力誤りを未然に防止すると共に振込処理時間の短縮化と効率化を図ることができる。
【０００５】
【特許文献１】
特開平５−２６６０５５号公報（第２−３頁）
【０００６】
【発明が解決しようとする課題】
しかし、このような振込カードを利用して振込を行なう場合、振込カードを使用できる自動取引装置等を用いなければならない。すなわち、顧客は振込カードを持参して金融機関の店舗に出向く必要があり、振込を行なう者に手間がかかる。
【０００７】
また、今日、顧客自身のコンピュータ端末からネットワークを介して振込処理を依頼できるモバイルバンキングやネットバンキング等のバンキングサービスが利用されている。しかし、このようなネットワークを介してのバンキングサービスでは、振込カードを利用することはできない。
【０００８】
さらに、振込先の相手に振込状況を知らせるためには、顧客自身が連絡する必要がある。一方、顧客が相手に連絡を行なわない場合、振込先相手が振込状況を把握するためには、自身の預金口座の入出金状況を監視しておく必要があり、負担であった。
【０００９】
本発明は、上記問題点を解決するためになされたものであり、その目的は、ネットワークを利用して的確かつ効率的に振込処理を行なうことができる振込処理方法及び振込処理プログラムを提供することにある。
【００１０】
【課題を解決するための手段】
上記問題点を解決するために、請求項１に記載の発明は、連絡先識別子に関連づけられた連絡先情報を記録したアドレス帳データ記憶手段と、前記連絡先識別子に関連づけて振込先口座情報を記録した振込先口座データ記憶手段とを有し、ネットワークを介して金融機関システムに接続されたユーザ端末を用いて振込処理の依頼を行なう方法であって、前記ユーザ端末が、利用者に対して振込先の連絡先識別子及び振込金額の入力を促す段階と、入力された連絡先識別子に基づいて前記振込先口座データ記憶手段から振込先口座情報を抽出し、前記金融機関システムに振込内容を送信する段階と、入力された連絡先識別子に基づいて前記アドレス帳データ記憶手段から連絡先情報を抽出し、この連絡先にメッセージを送信する処理を実行する段階とを有することを要旨とする。
【００１１】
請求項２に記載の発明は、請求項１に記載の振込処理方法において、前記連絡先情報は、電子メールアドレスを含んで構成することを要旨とする。
請求項３に記載の発明は、請求項１又は２に記載の振込処理方法において、前記メッセージの送信処理は、前記ユーザ端末が、前記金融機関システムに送信した前記振込内容に対する振込内容確認を前記金融機関システムから受信し、前記振込内容確認に対して振込依頼を前記金融機関システムに送信するときに実行することを要旨とする。
【００１２】
請求項４に記載の発明は、請求項１又は２に記載の振込処理方法において、前記メッセージの送信処理は、前記ユーザ端末が、前記金融機関システムから振込完了通知を受信したときに実行することを要旨とする。
【００１３】
請求項５に記載の発明は、連絡先識別子に関連づけられた連絡先情報を記録したアドレス帳データ記憶手段と、前記連絡先識別子に関連づけて振込先口座情報を記録した振込先口座データ記憶手段とを有し、ネットワークを介して金融機関システムに接続されたユーザ端末を用いて振込処理の依頼を行なうプログラムであって、前記ユーザ端末を、利用者に対して振込先の連絡先識別子及び振込金額の入力を促す手段と、入力された連絡先識別子に基づいて前記振込先口座データ記憶手段から振込先口座情報を抽出し、前記金融機関システムに振込内容を送信する手段と、入力された連絡先識別子に基づいて前記アドレス帳データ記憶手段から連絡先情報を抽出し、この連絡先にメッセージを送信する処理を実行する手段として機能させることを要旨とする。
【００１４】
請求項６に記載の発明は、請求項５に記載の振込処理プログラムにおいて、前記連絡先情報は、電子メールアドレスを含んで構成することを要旨とする。
請求項７に記載の発明は、請求項５又は６に記載の振込処理プログラムにおいて、前記メッセージの送信処理は、前記ユーザ端末が、前記金融機関システムに送信した前記振込内容に対する振込内容確認を前記金融機関システムから受信し、前記振込内容確認に対して振込依頼を前記金融機関システムに送信するときに実行することを要旨とする。
【００１５】
請求項８に記載の発明は、請求項５又は６に記載の振込処理プログラムにおいて、前記メッセージの送信処理は、前記ユーザ端末が、前記金融機関システムから振込完了通知を受信したときに実行することを要旨とする。
【００１６】
（作用）
請求項１又は５に記載の発明によれば、ユーザ端末は、連絡先識別子に関連づけられた連絡先情報を記録したアドレス帳データ記憶手段と、前記連絡先識別子に関連づけて振込先口座情報を記録した振込先口座データ記憶手段とを有する。このユーザ端末は、利用者に対して振込先の連絡先識別子及び振込金額の入力を促す。そして、入力された連絡先識別子に基づいて振込先口座データ記憶手段から振込先口座情報を抽出し、金融機関システムに振込内容を送信する。さらに、入力された連絡先識別子に基づいてアドレス帳データ記憶手段から連絡先情報を抽出し、この連絡先にメッセージを送信する処理を実行する。このため、振込先の相手に対してメッセージを送信することができる。従って、振込先の相手は効率的に振込状況を把握することができる。
【００１７】
請求項２又は６に記載の発明によれば、連絡先情報は、電子メールアドレスを含んで構成する。このため、振込先の相手に対して電子メールを用いてメッセージを送信することができる。
【００１８】
請求項３又は７に記載の発明によれば、メッセージの送信処理は、前記ユーザ端末が、前記金融機関システムに送信した前記振込内容に対する振込内容確認を前記金融機関システムから受信し、前記振込内容確認に対して振込依頼を前記金融機関システムに送信するときに実行する。このため、利用者の確認に基づいて振込先の相手に対して電子メールを用いてメッセージを送信することができる。
【００１９】
請求項４又は８に記載の発明によれば、前記メッセージの送信処理は、前記ユーザ端末が、前記金融機関システムから振込完了通知を受信したときに実行する。このため、金融機関システムから振込完了通知に基づいて振込先の相手に対して電子メールを用いてメッセージを送信することができる。
【００２０】
【発明の実施の形態】
以下、本発明を具体化した実施形態を図１〜図７に従って説明する。本実施形態では、受取人の預金口座に対して、顧客の預金口座から振込を行なう場合に用いる振込処理方法及び振込処理プログラムとして説明する。本実施形態では、金融機関は、電子メールを利用しての振込依頼を受け付けるサービスを提供する。
【００２１】
本サービスの利用者は、図１に示すように、ネットワークとしてのインターネットＩに接続可能なユーザ端末としての携帯電話端末１０を利用して振込処理の依頼を行なう。
【００２２】
この携帯電話端末１０は、図１に示すように、ダイヤル番号ボタン１１０の他に、表示部１０１、選択ボタン１０２、モード切り替えボタン１０３を有する。この携帯電話端末１０は、通常の電話通話機能の他に、電子メールの送信、ウェブページの受信や各種データの処理を行なうデータ処理機能を有する。通常の電話モードからデータ処理モードへ切り替える場合には、モード切り替えボタン１０３を用いる。
【００２３】
表示部１０１には、携帯電話端末１０が受信した電子メールやウェブページが表示される。また、選択ボタン１０２は、ポインタ移動機能とクリック機能とを有する。この選択ボタン１０２を用いて方向指示を行なうことによりポインタを移動させることができ、選択ボタン１０２を押すことによりポインタが示している項目を選択することができる。
【００２４】
携帯電話端末１０は、図示しない制御手段（ＣＰＵ）、記憶手段（ＲＡＭ、ＲＯＭ、ハードディスク等）、データ送受信手段等を有する。そして、携帯電話端末１０は、各種機能を実現するための各種アプリケーションプログラムを内蔵している。このプログラムの中には、ブラウザ機能を実行するためのプログラムが含まれる。さらに、振込処理を行なうためのアプリケーションプログラムを内蔵し、この携帯電話端末１０の制御手段は、振込処理に関して後述する処理手順（振込先の連絡先識別子及び振込金額の入力を促す段階や振込内容を送信する段階、メッセージを送信する処理を実行する段階等）を実行する。これにより、携帯電話端末１０の制御手段は、振込先の連絡先識別子及び振込金額の入力を促す手段や振込内容を送信する手段、メッセージを送信する処理を実行する手段等の各手段として機能する。
【００２５】
携帯電話端末１０には、アドレス帳データ記憶手段としてのアドレス帳データ記憶部２２及び振込先データ記憶手段としての振込先口座データ記憶部２３が、それぞれ接続されている。
【００２６】
アドレス帳データ記憶部２２には、図２に示すようにアドレス帳データ２２０が記録される。アドレス帳は携帯電話端末１０に標準で添付されている基本的な機能の一つである。このアドレス帳データ２２０は、携帯電話端末１０の利用者が、相手先に連絡を行なうための連絡先の一覧ファイルを登録しておくために用いる。本実施形態では、アドレス帳データ記憶部２２には、相手先識別子、連絡先としての電話番号及び電子メールアドレスに関連するデータが、相互に関連づけられて記録されている。
【００２７】
相手先識別子データ領域には、連絡を行なう相手先を特定するために用いる識別子に関するデータが記録されている。ここでは、相手先識別子として相手の名前を用いる。この名前には、本名の他、ニックネーム等を用いることができる。本実施形態では、アドレス帳データ記憶部２２には、相手先識別子が「山田Ａ」のアドレス帳データ２２０が含まれる。
【００２８】
電話番号データ領域には、この相手先に電話連絡を行なう場合に用いる電話番号に関するデータが記録されている。
電子メールアドレスデータ領域には、この相手先に電子メールを送信する場合に用いる電子メールアドレスに関するデータが記録されている。
【００２９】
振込先口座データ記憶部２３には、図３に示すように、振込先口座に関して振込先口座データ２３０が記録される。この振込先口座データ２３０は、携帯電話端末１０の利用者が振込先の預金口座を登録した場合に記録される。本実施形態では、振込先口座データ記憶部２３には、振込先毎に相手先識別子及び振込先口座識別子に関連するデータが、相互に関連づけられて記録されている。
【００３０】
相手先識別子データ領域には、振込を行なう相手先を特定するために用いる識別子に関するデータが記録されている。ここでは、この相手先識別子には、アドレス帳データ記憶部２２に記録された相手先識別子（本名やニックネーム）と同じものを用いて設定する。
【００３１】
振込先口座識別子データ領域には、この相手先の預金口座を特定するための識別子に関するデータが記録される。本実施形態では、口座識別子は、振込先口座の金融機関名、支店名、預金種目及び口座番号に関するデータを含んで構成される。
【００３２】
また、振込先相手（本実施形態では「山田Ａ」）は、インターネットＩを介して電子メールを受信することできる携帯電話端末１１を利用している場合を想定する。
【００３３】
さらに、インターネットＩには金融機関システム４０が接続されている。金融機関システム４０は、利用者から受け付けた振込依頼を処理するための金融のコンピュータシステムである。金融機関システム４０は、図示しない制御手段（ＣＰＵ）、記憶手段（ＲＡＭ、ＲＯＭ、ハードディスク等）、データ送受信手段等を有する。この金融機関システム４０は、振込内容の確認や振込処理を実行する。
【００３４】
金融機関システム４０には顧客データ記憶部４１が設けられている。顧客データ記憶部４１には、図４に示すように、金融機関に預金口座を開設した顧客であって、本サービスの利用者に関しての顧客データ４１０が記録されている。顧客データ４１０は、本サービスの利用依頼を申請した場合に設定される。本実施形態では、顧客データ４１０には、利用者の口座毎に、口座識別子、利用者識別子、電子メールアドレス及びパスワードに関するデータが相互に関連づけられて記録される。
【００３５】
口座識別子データ領域には、本サービスの利用者の預金口座を特定するための識別子に関するデータが記録される。本実施形態では、口座識別子は、この金融機関に開設された利用者の預金口座の支店名、預金種目及び口座番号に関するデータを含んで構成される。
【００３６】
利用者識別子データ領域には、本サービスの利用者であって、この預金口座の名義人を特定するための識別子に関するデータが記録される。本実施形態では、金融機関が利用者毎に割り当てた顧客番号を用いる。この顧客番号を用いることにより、他のデータ記憶部に登録された口座名義人の名前、住所や各種属性情報等を抽出することができる。
【００３７】
電子メールアドレスデータ領域には、この利用者の電子メールアドレスに関するデータが記録されている。
パスワードデータ領域には、利用者が振込処理を依頼する場合に用いるパスワードに関するデータが記録されている。
【００３８】
次に、上記のように構成されたシステムを用いて、利用者が本サービスを利用する手順を図５に従って説明する。この手順には振込先登録段階と振込依頼段階とがある。
【００３９】
（振込先登録段階）
まず、本サービスの利用を希望する顧客は、金融機関に対して本サービスの利用申請を行なう。この利用申請には、この顧客の預金口座の口座識別子、利用者識別子、電子メールアドレス、パスワードに関する情報が含まれる。この利用申請を受理した金融機関は、金融機関システム４０に利用者登録を行なう（Ｓ２−１）。具体的には、顧客データ記憶部４１にこれらのデータを含む顧客データ４１０を記録する。
【００４０】
次に、金融機関は利用者として登録された顧客に対して本サービスを利用するためのアプリケーションプログラムを提供する。具体的には、利用者は、このアプリケーションプログラムを携帯電話端末１０にダウンロードして用いる。
【００４１】
そして、利用者は、このアプリケーションプログラムを用いて、相手先口座と相手先識別子とを関連づけて記録する（Ｓ１−１）。まず、利用者は携帯電話端末１０に格納されたアプリケーションプログラムを起動する。この場合、携帯電話端末１０の表示部１０１には図６に示す表示画面５００が出力される。この表示画面５００は各処理を選択するためのメニュー画面である。この表示画面５００には、振込先口座登録ボタン５０１、振込依頼ボタン５０２及び終了ボタン５０３が設けられている。振込先を設定する場合には振込先口座登録ボタン５０１を選択する。後述する振込処理の依頼を行なう場合は、振込依頼ボタン５０２を選択する。また、このアプリケーションプログラムを終了させる場合には、終了ボタン５０３を選択する。
【００４２】
ここでは、選択ボタン１０２を用いて、振込先の登録を行なうために振込先口座登録ボタン５０１を選択する。振込先口座登録ボタン５０１を選択した場合、携帯電話端末１０の表示部１０１には図６に示す表示画面５１０が出力される。この表示画面５１０は、振込先口座の登録を行なうための画面である。この表示画面５１０には、名前入力欄５１１、振込先口座入力欄５１２、新規登録ボタン５１３、削除ボタン５１４及び後退ボタン５１５が設けられている。
【００４３】
名前入力欄５１１には、振込を行なう相手先を特定するための相手先識別子を入力する。この名前入力欄５１１には、すでにアドレス帳データ記憶部２２に登録されている相手先識別子の中から選択する。
【００４４】
振込先の振込先口座入力欄５１２には、この相手先の預金口座（振込先口座）を特定するための口座識別子に関する情報を入力する。ここでは、口座識別子としての銀行名、本支店名、預金種目及び口座番号を入力する。なお、この入力には、金融機関が振込先口座を特定できるものであれば、金融機関コード、本支店コード、預金種目コード等を用いることも可能である。
【００４５】
また、新規登録ボタン５１３は、表示画面５１０に入力した預金口座を、振込先口座として登録するためのボタンである。削除ボタン５１４は、表示画面５１０に表示された振込先を削除する場合に用いる。後退ボタン５１５を選択した場合には、携帯電話端末１０の表示部１０１には表示画面５００が再度、出力される。
【００４６】
ここでは、振込の相手先として、アドレス帳データ記憶部２２に記録された相手先識別子「山田Ａ」を選択する。そして、この「山田Ａ」の預金口座を振込先口座として振込先口座入力欄５１２に入力する。そして、振込先口座の入力を完了した場合、新規登録ボタン５１３を選択する。この場合、携帯電話端末１０の制御手段は、入力された名前と振込先口座とを関連づけて振込先口座データ記憶部２３に記録する。これにより、振込先口座の登録を完了する。
【００４７】
（振込依頼段階）
次に、利用者が携帯電話端末１０を用いて振込処理の依頼を行なう場合の手順を説明する。まず、利用者は携帯電話端末１０のアプリケーションプログラムを起動する。この場合、振込先登録段階と同様に、携帯電話端末１０の表示部１０１には、表示画面５００が出力される。振込処理の依頼を行なう場合は、表示画面５００の振込依頼ボタン５０２を選択する。
【００４８】
この場合、携帯電話端末１０の表示部１０１には、表示画面５２０が出力される。この表示画面５２０には、振込先選択欄５２１、金額入力欄５２２、送信ボタン５２３及び中止ボタン５２４が含まれる。
【００４９】
まず、振込先選択欄５２１を用いて相手先識別子を選択し、振込先を特定する（Ｓ１−２）。この場合、選択ボタン１０２を用いて振込先選択欄５２１を選択し、選択ボタン１０２を回転させることにより、振込先選択欄５２１には振込先口座データ記憶部２３に登録された振込先候補が順次表示される。そして、目的の振込先を決定する場合には選択ボタン１０２を押す。ここでは、「山田Ａ」に振込を行なう場合を想定する。
【００５０】
次に、金額入力欄５２２を用いて、振込を行なう金額を入力する（Ｓ１−３）。この場合は、選択ボタン１０２を用いて金額入力欄５２２を選択し、ダイヤル番号ボタン１１０を用いて金額を入力する。
【００５１】
そして、振込先や金額の入力を完了した場合には、送信ボタン５２３を選択する。送信ボタン５２３が押された場合、携帯電話端末１０は、振込内容を、インターネットＩを介して金融機関システム４０に送信する（Ｓ１−４）。この場合、まず、携帯電話端末１０の制御手段は、振込先選択欄５２１に入力された相手先識別子に基づいて、振込先口座データ記憶部２３から振込先口座識別子を抽出する。そして、抽出した振込先口座識別子と金額とを含めた振込内容を金融機関システム４０に送信する。
【００５２】
振込内容を受信した金融機関システム４０は、振込内容を送信した携帯電話端末１０の送信元アドレスを確認する（Ｓ２−２）。顧客データ記憶部４１に送信元アドレスが利用者の電子メールアドレスとして記録されている場合、金融機関システム４０はこの電子メールアドレスに関連づけて顧客データ４１０に含まれる口座識別子を特定する。そして、金融機関システム４０は、特定した口座識別子を用いて、この預金口座の残高を確認する（Ｓ２−３）。さらに、金融機関システム４０は受信した振込内容に含まれる振込先口座の有無を確認する。
【００５３】
振込内容の確認ができた場合には、金融機関システム４０は振込確認のための電子メールを携帯電話端末１０に送信する（Ｓ２−４）。この場合、電子メールの送信先として、顧客データ４１０に含まれる電子メールアドレスを用いる。
【００５４】
この電子メールを受信した携帯電話端末１０の表示部１０１には、図７に示す表示画面５３０が出力される。この表示画面５３０には、振込内容を確認するために用いるＵｎｉｆｏｒｍ　Ｒｅｓｏｕｒｃｅ　Ｌｏｃａｔｏｒ（ＵＲＬ５３１）が付加されている。選択ボタン１０２を用いてこのＵＲＬ５３１を選択した場合、携帯電話端末１０は金融機関システム４０に確認画面の要求を送信する。金融機関システム４０はこの要求に応じて確認画面を送信する。
【００５５】
この場合、携帯電話端末１０の表示部１０１に図７に示す表示画面５４０が出力される。この表示画面５４０には、振込内容、パスワード入力欄５４１、実行ボタン５４２及び中止ボタン５４３が含まれる。処理を中止する場合には中止ボタン５４３を選択する。
【００５６】
表示画面５４０に出力された振込内容を確認した利用者は、パスワード入力欄５４１にパスワードを入力し、実行ボタン５４２を選択する。この場合、携帯電話端末１０の制御手段は、インターネットＩを介して振込依頼を金融機関システム４０に送信する（Ｓ１−５）。
【００５７】
振込依頼を受信した金融機関システム４０は、振込依頼に含まれるパスワードを用いて本人認証を行なう（Ｓ２−５）。具体的には、金融機関システム４０は、顧客データ記憶部４１に記録されているパスワードと、受信したパスワードとを照合する。
【００５８】
そして、本人認証ができた場合には、金融機関システム４０は、確認された振込依頼に基づいて振込処理を実行する（Ｓ２−６）。そして、金融機関システム４０は、利用者に振込完了通知の電子メールを送信する（Ｓ２−７）。
【００５９】
一方、携帯電話端末１０は、受信した振込確認に含まれる相手先識別子を抽出し、これに関連づけられた電子メールアドレスを振込先口座データ記憶部２３から抽出する（Ｓ１−６）。そして、携帯電話端末１０は、この電子メールアドレスに、振込を行なった旨の通知を行なう（Ｓ１−７）。この結果、受取人は携帯電話端末１１を用いて振込状況を把握でする。以上により、振込処理を終了する。
【００６０】
以上、本実施形態によれば、以下に示す効果を得ることができる。
・　上記実施形態では、携帯電話端末１０の振込先口座データ記憶部２３には振込先口座が登録されている。そして、登録された振込先口座を用いて、金融機関システム４０に振込内容を送信する。このため、利用者は自身の携帯電話端末１０を用いて効率的に振込処理を行なうことができる。金融機関システム４０が振込依頼を受付可能であれば、振込依頼を行なう場所や時間の自由度を大きくすることができる。また、同じ相手に複数回の振込を行なう場合、登録された情報を用いるので、利用者は振込先情報の入力負荷を軽減し、効率的に振込を行なうことができる。
【００６１】
・　上記実施形態では、振込先口座データ記憶部２３には、振込先毎に相手先識別子及び振込先口座識別子に関連するデータが、相互に関連づけられて記録されている。そして、この相手先識別子には、アドレス帳データ記憶部２２に記録された相手先識別子と同じものを用いて設定する。このため、携帯電話端末１０のアドレス帳データ記憶部２２に記録されたアドレス帳データ２２０を用いて、振込先の相手が使用する電子メールアドレス等の連絡先を特定できる。
【００６２】
・　上記実施形態では、振込内容を受信した金融機関システム４０は、振込内容を送信した携帯電話端末１０の送信元アドレスを確認する。そして、振込内容の確認ができた場合には、金融機関システム４０は振込確認のための電子メールを携帯電話端末１０に送信する。この場合、電子メールの送信先として、顧客データ４１０に含まれる電子メールアドレスを用いる。このため、金融機関システム４０は、利用者の携帯電話端末１０で受信した電子メールを用いて、振込処理の依頼を確認させることができる。
【００６３】
・　上記実施形態では、顧客データ記憶部４１には顧客データ４１０が記録されている。この顧客データ４１０には、振込処理を依頼する場合に用いるパスワードに関するデータが記録される。そして、振込依頼を受信した金融機関システム４０は、振込依頼に含まれるパスワードを用いて本人認証を行なう。このため、電子メールを用いた振込処理の依頼であっても、より安全に処理を行なうことができる。
【００６４】
・　上記実施形態では、携帯電話端末１０は、受信した振込確認に含まれる相手先識別子を抽出し、これに関連づけられた電子メールアドレスを振込先口座データ記憶部２３から抽出する。そして、携帯電話端末１０は、この電子メールアドレスに、振込を行なった旨の通知を行なう。このため、振込先の相手は振込状況を迅速に把握することができる。
【００６５】
なお、上記実施形態は、以下の態様に変更してもよい。
・　上記実施形態では、携帯電話端末１０は、受信した振込確認に含まれる相手先識別子を抽出し、これに関連づけられたメールアドレスを振込先口座データ記憶部２３から抽出する。そして、携帯電話端末１０は、この電子メールアドレスに、振込を行なった旨の通知を行なう。これに代えて、携帯電話端末１０は、振込内容を金融機関システム４０に送信する時に、相手先の電子メールアドレスに振込を行なった旨の通知を行なってもよい。これにより、振込先の相手により早く振込状況を知らせることができる。
【００６６】
・　上記実施形態では、携帯電話端末１０は、金融機関システム４０に対する振込内容の送信や振込依頼の送信とは別に、相手先の電子メールアドレスに振込を行なった旨の通知を行なう。この代わりに、金融機関システム４０と相手先の電子メールアドレスとに同じメッセージを同報送信してもよい。この場合、金融機関システム４０は、メッセージの中から振込内容や振込依頼を抽出し、振込処理を行なう。これにより、通信回数を削減でき、通信コストを減らすことができる。
【００６７】
・　上記実施形態では一つの預金口座に振込を行なう場合を想定する。これに代えて、複数の預金口座に同時に振込処理を行なうことができるようにしてもよい。この場合、表示画面５２０に複数の振込先選択欄５２１を設け、さらにそれに対応する金額入力欄５２２を設ける。これにより、通信回数を削減しながら、効率的に振込処理を行なうことができる。
【００６８】
・　上記実施形態では、インターネットＩに接続された携帯電話端末１０を用いて振込処理を依頼する。これに代えて、パーソナルコンピュータやＰＤＡ（Ｐｅｒｓｏｎａｌ　Ｄｉｇｉｔａｌ　Ａｓｓｉｓｔａｎｔ）を用いてもよい。
【００６９】
【発明の効果】
以上詳述したように、本発明によれば、ネットワークを介して的確かつ効率的に振込処理を依頼することができる。また、振込先の相手も迅速に振込状況を把握することができる。
【図面の簡単な説明】
【図１】本発明の実施形態のシステム概略図。
【図２】アドレス帳データ記憶部に記録されたデータの説明図。
【図３】振込先口座データ記憶部に記録されたデータの説明図。
【図４】顧客データ記憶部に記録されたデータの説明図。
【図５】本実施形態の処理手順の説明図。
【図６】携帯電話端末の表示部に出力された表示画面の説明図。
【図７】携帯電話端末の表示部に出力された表示画面の説明図。
【符号の説明】
１０…ユーザ端末としての携帯電話端末、２２…アドレス帳データ記憶手段としてのアドレス帳データ記憶部、２３…振込先口座データ記憶手段としての振込先口座データ記憶部、４０…金融機関システム、Ｉ…ネットワークとしてのインターネット。
【図１】
2004102711.tif 000003
【図２】
2004102711.tif 000004
【図３】
2004102711.tif 000005
【図４】
2004102711.tif 000006
【図５】
2004102711.tif 000007
【図６】
2004102711.tif 000008
【図７】
2004102711.tif 000009